(57)【要約】【課題】  構成な簡単によって配管作業を容易にする。【解決手段】  端末管の本体の外周面が溝２によって蛇腹状に形成されており、管本体の軸心方向に伸縮可能であって、溝がＶ字形であって、Ｖ字を構成している一辺２ａが他辺２ｂより長く設定されており、確実に収縮状態及び伸長状態の維持を可能にしており、端末管の本体の端部にコネクターと接続可能である接続部４を形成し、この接続部に上記コネクターのストッパリング８ｄと係合可能な係合部４ｂを設けてあり、上記管本体内をヘッダーに接続される流水管の端末が貫通可能であり、端末管は給水用又は給湯用のヘッダーと保護管との間隙にコネクターを介して接続され、流水管９の端末部分をシールする。【選択図】        図１
2005121159.tif 000002
【特許請求の範囲】
【請求項１】
管本体の外周面が溝によって蛇腹状に形成されており、管本体の軸心方向に伸縮可能であって、かつ収縮状態及び伸長状態をそれぞれ維持可能であり、管本体内をヘッダーに接続される流水管の端末が貫通可能であることを特徴とするヘッダー配管における端末管。
【請求項２】
溝がＶ字形であって、Ｖ字を構成している一辺が他辺より長いことを特徴とする請求項１記載のヘッダー配管における端末管。
【請求項３】
一端にヘッダーの接続口となっている継手を覆うカバー部を設けてあることを特徴とする請求項１又は請求項２記載のヘッダー配管における端末管。
【請求項４】
他端に管体と接続可能な接続部を設けてあることを特徴とする請求項１、請求項２又は請求項３記載のヘッダー配管における端末管。
【請求項５】
他端にコネクターを介して管体と接続可能な接続部を設けてあり、この接続部は上記コネクターに嵌合可能であってかつ離脱可能に係合する係合部を設けてあることを特徴とする請求項１、請求項２又は請求項３記載のヘッダー配管における端末管。
【請求項６】
他端にコネクターを介して管体と接続可能な接続部を設けてあり、この接続部は上記コネクターに嵌合可能であってかつ離脱可能に係合する係合部を設けてあり、この係合部は上記コネクター内に配置されているストッパリングと係合可能の係合溝を有することを特徴とする請求項１、請求項２又は請求項３記載のヘッダー配管における端末管。
【請求項７】
両端に管体とそれぞれ接続可能な接続部を設けてあることを特徴とする請求項１又は請求項２記載のヘッダー配管における端末管。
【請求項８】
両端に管体とそれぞれ接続可能な接続部を設けてあり、一方の接続部は上記管体接続用のコネクターに嵌合可能であってかつ離脱可能に係合する係合部を設けてあることを特徴とする請求項１又は請求項２記載のヘッダー配管における端末管。
【請求項９】
両端に管体とそれぞれ接続可能な接続部を設けてあり、一方の接続部は上記管体接続用のコネクターに嵌合可能であってかつ離脱可能に係合する係合部を設けてあり、この係合部は上記コネクター内に配置されているストッパリングと係合可能の係合溝を有することを特徴とする請求項１又は請求項２記載のヘッダー配管における端末管。
【発明の詳細な説明】
【技術分野】
【０００１】
本発明は、建物内における給水、給湯などのヘッダーから分岐されたヘッダー配管における端末管に関するものである。
【背景技術】
【０００２】
従来の住宅内の給水又は給湯の配管システムにおけるヘッダー配管における端末管として、実公平６−３２５５３号公報に記載の「流体管の端末接続具」が提案されている。この端末接続具は、一端の漏斗状の包被部でヘッダーの接続部分を構成する継手の外側を覆うと共に、他端が鞘管内に所定の長さ挿入されている。ヘッダー（上記公報では「分岐管」）から分岐された流体管が上記端末接続具及び鞘管内に挿入され、流体管の端部側が台所、洗面室、トイレなどに配管されている。そしてヘッダーの上記接続部分（継手）から漏れた水を端末接続具の包被部を通じて鞘管内へ確実に導くようにしている。
【特許文献１】実公平６−３２５５３号公報
【発明の開示】
【発明が解決しようとする課題】
【０００３】
実公平６−３２５５３号公報に記載の「流体管の端末接続具」の使用方法は、第３図に示すように鞘管内に流体管を挿通し、鞘管の上端部から流体管端末を上方に引き出して、その後上記公報の第４図に示すように端末接続具の外周にシーリングキャップを予め嵌合した状態で、端末接続具の下端部側を流体管の上端部（端末）に嵌挿し、流体管の上端部（端末）が端末接続具の上端部から露出するまで、その端末接続具の端部を鞘管内に深く挿入する。そして上記公報の第５図に示すように、流体管の上端部（端末）に継手を取付けて、上記公報の第６図に示すようにヘッダー（上記公報では「分岐管」）の接続口に継手を接続する。その後、上記公報の第７図に示すように端末接続具を流体管の上端部（端末）に沿ってヘッダー（公報では「分岐管」）の接続口（継手側）側に移動させ、その端末接続具の包被部で上記継手の外側を覆う。またシーリングキャップを端末接続具上を鞘管側に移動させて、鞘管の上端部に嵌着することにより、ヘッダー（公報では「分岐管」）側における流体管の端末側の配管作業を終える。
上記実公平６−３２５５３号公報に開示されているヘッダー配管における端末管（公報では「端末接続具」）の課題は、次のとおりである。
第１は、ヘッダー（公報では「分岐管」）に対する流体管の接続作業では、予め端末接続具の下方部を鞘管の上端末内へ所定寸法だけ挿入し、流体管（流水管）の上端部を鞘管の上端末より露出させておいた状態で、ヘッダーの接続口に継手を介して流体管（流水管）の上端末を接続し、接続後に端末接続具を包被部が継手を覆う位置まで引き上げなければならない。このように端末接続具の上下動操作が不可欠であるから、ヘッダー周辺の作業スペースが狭い場合には上下動操作に手間がかかり、配管作業を難しくしている。
第２は、流体管の外周面にウォーターハンマーによる騒音防止用のテープが巻かれている場合には、上下動する端末接続具の端部が上記テープを剥がしてしまう不都合がある。このような不都合が生じないようにするために、端末接続具の上下動を慎重にしなくてはならず、作業性の向上の妨げとなっている。
本発明の目的は、構成な簡単によって配管作業を容易にすることにある。
【課題を解決するための手段】
【０００４】
本発明の第１の特徴は、管本体の外周面が溝によって蛇腹状に形成されており、管本体の軸心方向に伸縮可能であって、かつ収縮状態及び伸長状態をそれぞれ維持可能であり、管本体内をヘッダーに接続される流水管の端末が貫通可能であることにある。
本発明の第２の特徴は、上記第１の特徴を前提として、溝がＶ字形であって、Ｖ字を構成している一辺が他辺より長く設定し、確実に収縮状態及び伸長状態の維持を可能とすることにある。
本発明の第３の特徴は、上記第１又は第２の特徴を前提として、端末管の一端にヘッダーの接続口となっている継手を覆うカバー部を設けてあることにある。
本発明の第４の特徴は、上記第１、第２又は第３の特徴を前提として、端末管の他端に保護管などの管体と接続可能な接続部を設けていることにある。
本発明の第５の特徴は、上記第１、第２又は第３の特徴を前提として、他端にコネクターを介して保護管などの管体と接続可能な接続部を設けてあり、この接続部は上記コネクターに嵌合可能であってかつ離脱可能に係合する係合部を設けてあることにある。
本発明の第６の特徴は、上記第１、第２又は第３の特徴を前提として、他端にコネクターを介して他の管体と接続可能な接続部を設けてあり、この接続部は上記コネクターに嵌合可能であってかつ離脱可能に係合する係合部を設け、この係合部は上記コネクター内に配置されているストッパリングと係合可能の係合溝を有することにある。
本発明の第７の特徴は、上記第１又は第２の特徴を前提として、両端に管体とそれぞれ接続可能な接続部を設けていることにある。
本発明の第８の特徴は、上記第１又は第２の特徴を前提として、両端に管体とそれぞれ接続可能な接続部を設けてあり、一方の接続部は上記管体接続用のコネクターに嵌合可能であってかつ離脱可能に係合する係合部を設けてあることにある。
本発明の第９の特徴は、上記第１又は第２の特徴を前提として、両端に管体とそれぞれ接続可能な接続部を設けてあり、一方の接続部は上記管体接続用のコネクターに嵌合可能であってかつ離脱可能に係合する係合部を設け、この係合部は上記コネクター内に配置されているストッパリングと係合可能の係合溝を有することにある。
【発明の効果】
【０００５】
本発明によれば、端末管が伸縮可能であってかつ人手にたよらず収縮状態を維持できる機能を備えているから、端末管本体の収縮状態を維持するために下方に押されて圧縮させながら流水管とヘッダーの接続口との接続作業をする必要がないから、接続作業が容易に行え、そして接続時に端末管の全体を上下動させる必要がないから流水管に騒音防止用のテープが巻かれていてもこのテープが剥がされる不都合が生じず、配管の作業性が向上し、さらに端末管が伸縮可能であるからヘッダーの接続口と保護管（鞘管）端末との間の隙間の距離の変化に対応することができ一部に収縮が生じていても伸長する方向にばね力が付勢されないので、端末管の耐久性を高めることができる。
【発明を実施するための最良の形態】
【０００６】
本発明を実施するための第一の形態について図１〜図１１を参照して説明する。
図１〜図５において、端末管１はその管本体の外周面が溝２によって蛇腹状に形成されているプラスチック管であって、管本体の軸心方向に伸縮可能である。端末管１における溝２は、図１に示すようにＶ字形であって、Ｖ字を構成している一辺２ａが他辺２ｂより長い。このために、端末管１は図１０及び図１１に示す収縮状態では、この形態を維持可能であって、ばね力で自動的に伸張して復元することはなく、そして図１に示すように伸長している場合でも伸長状態が維持可能である。
端末管１の一端部（上端部）に碗状のカバー部３を設けてあり、このカバー部はヘッダー５の接続口となっている継手６を覆うことができる内部形状を有している（図６）。端末管１の他端部（下端部）に接続部４を設けてある。接続部４の上側外周に雄ねじ４ａを、下側外周に係合部４ｂをそれぞれ形成してある。係合部４ｂは、図１及び図５に示すように接続部４の外周全周に形成している対の係合リブ４ｂ１と両係合リブによって形成されている係合溝４ｂ２とからなる。接続部４は後述するコネクター８（図６）を介して他の管（図６では保護管７）と接続可能である。接続部４は、図６及び図７に示すようにコネクター８に嵌合可能であってかつコネクターとは係合部４ｂを介して離脱可能に係合するものである。接続部４の係合部４ｂは、コネクター８との結合を確実にするためにコネクター内に配置されているストッパリング８ｄ（図８及び図９）と係合溝４ｂ２を通じて係合可能である。
端末管１内はヘッダー５に接続される流水管９（図７）の端末が貫通可能である。
【０００７】
端末管１の使用状態を図６及び図７に基づいて説明する。
端末管１は給水用又は給湯用のヘッダー５と保護管７との間隙にコネクター８を介して接続され、流水管９の端末部分をシールしている。
ヘッダー５の下部には軸心方向に所定間隔をあけて複数の継手６が取り付けられており、そして両端にも図示していないが継手が取り付けられている
。各継手６には、台所用水栓、浴室用水栓、洗面室水栓などに水又は湯を供給するための流水管９の端末が接続されている。各流水管９は保護管７、コネクター８及び端末管１内を貫通している。
ヘッダー５は保温材１０によって被覆されており、取付けフレーム１１の側面形状がＬ形の背板１１ａにアングル１２を介して取り付けられているアーム１３によって水平状態に保持されている。背板１１ａは対の保持フレーム１１ｂの前面に固定されている。保持フレーム１１ｂは建物の床面上などに起立され、その下部１１ｂ１はボルトなどによって固定面に固定されている。
コネクター８は、背板１１ａの下部で前方（図７右方）に向けて水平に折り曲げられている取付け板部１１ａ１に取付け孔１１ａ２（図１０）を介して取り付けられている。コネクター８は、図７乃至図９に示すようにコネクター上部８ａとコネクター下部８ｂとからなり、上下方向に貫通孔８ｃが開けられており、上端開口部内側にはストッパリング８ｄを配置してある。コネクター下部８ｂの先端部は取付け板部１１ａ１の取付け孔１１ａ２を貫通し、取付け板部の上方に突出されており、突出端部にキャップ状のコネクター上部８ａがねじ結合されている。ストッパリング８ｄは図９に示すように一部に切欠部８ｄ１を設けてあり、この切欠部によって全体がばね性に抗して収縮する方向に弾性変形可能としている。ストッパリング８ｄはコネクター下部８ｂの先端部とコネクター上部８ａの開口端内側との間で挟持示されている（図８）。
端末管１のカバー部３はヘッダー５の継手６を下側からこれを包み込むように覆っており、継手から漏れる水を受け入れる形態となっている。端末管１の接続部４は係合部４ｂを介してコネクター上部８ａ内に差し込まれ、係合リブ４ｂ１及び係合溝４ｂ２とストッパリング８ｄを介してコネクター上部の開口端内部に係合状態に接続されている。
保護管７の上端部（端末部）はコネクター８に、コネクター下部８ｂ内に差し込まれ、係合状態に接続されている。
【０００８】
端末管１の配管作用について説明する。
図１０に示すように、予め取付けフレームの取付け板部１１ａ１にコネクター８を取り付けておくと共に、コネクター下部８ｂ内に保護管７の上端部を接続しておいてから、まず、収縮状態にした端末管１をコネクター８のコネクター上部８ａに接続した状態で起立させる。端末管１とコネクター８との接続作業は、端末管１の接続部４の下部をコネクター上部８ａに差込み、係合部４ｂによってコネクターの上端開口内部に係合させることによって行う。
ついで、図１１に示すように、流水管９の上端部を保護管７の下端側から通してこの上端部を上昇させて保護管、コネクター８及び端末管１を順次貫通させ、端末管より突出した段階でさらに流水管の上端部を上方に引張って継手６まで達した時点で流水管の端末を継手に接続させる。その後、端末管１のカバー部３を図１１の矢印方向に引張って上昇させると、端末管は伸張することになり、カバー部が継手６を完全に覆う位置に達した段階で伸張操作を停止する。停止した段階でも、端末管の伸張状態が維持され、図７に示すように端末管によるヘッダー配管の作業を終える。
この結果、保護管７とヘッダー５との間の隙間に位置している流水管９の端末部分は端末管１によってシールされ、継手６から漏れる水はカバー部３内に導かれ、端末管から保護管７へ案内される。
流水管９の端末をヘッダー５の継手６に接続する際、端末管１は図１０に示すように常に人手を介することなく収縮状態が維持されているから、流水管の端末部分を上方に引張る際に、作業者が両手を自由に使えるから作業がしやすい。また端末管１自体を上下動させる必要がないから、配管の作業スペースが狭くても配管作業に手間がかからず、しかも流水管の外周面に何らの影響を与えないから、この外周面に騒音防止用のテープが巻かれている場合であってもこのテープを剥がすなど損傷させるおそれがない。端末管１における接続部４の係合部４ｂはコネクター８内のストッパリング８ｄと係合リブ４ｂ１を通じて確実な係合状態が維持されているから、収縮状態にある端末管１を伸ばすために強く上方に引っ張っても、端末管１はコネクター８から離脱しない。
【０００９】
本発明を実施するための第二の形態について図１２及び図１３を参照して説明する。
図示する端末管１Ａは上端部の接続部４Ｂの構成を除いて図１に示す端末管１と同一構成である。端末管１Ａの上端部に位置している接続部４Ｂの内周面に雌ねじ４Ｂａを形成してある。  
端末管１Ａにおける溝２Ａ、一辺２Ａａ、他辺２Ａｂ、接続部４Ａ、雄ねじ４Ａａ及び係合部４Ａｂは、端末管１における溝２、一辺２ａ、他辺２ｂ、接続部４、雄ねじ４ａ及び係合部４ｂにそれぞれ対応している。
端末管１Ａの使用状態を説明する。
図１３に示すように、端末管１Ａは第１の取付け板部１１ｂ１の上側において、端末管の下側の接続部４Ａがこの取付け板部に取り付けられているコネクター８を介して下側の保護管７と接続されている。また端末管１Ａは、第２の取付け板部１１ｂ２の下側において、端末管の上側の接続部４Ｂが端末管１の接続部４と接続されている。接続部４Ｂと接続部４との関係は、一方の端末管１の接続部４が他方の端末管１Ａの接続部４Ｂ内に嵌合され、雄ねじ４ａ（図１）と雌ねじ４Ｂａ（図１２）とが互いに結合される。
流水管９は保護管７、コネクター８、端末管１Ａ及び端末管１内を貫通し、流水管の端末がヘッダー５の継手（図示せず。）に接続されている。
端末管１Ａと端末管１とは、ヘッダー５と保護管７との隙間に位置する流水管の端末部分をシールすることになる。
流水管９の端末の配管作業時において、予め端末管１Ａは収縮状態にしておく。  
図１３では、ヘッダー５と保護管７との隙間の距離は、連なっている端末管１Ａと端末管１の長さの合計より小さい（短い）ので、端末管１Ａの下部側に収縮部分１Ａ１が形成され、端末管は隙間の大きさに対応可能としている。この場合、収縮部分１Ａ１の収縮状態が維持されており、自動的に伸長するばね力は生じないので、不必要な負荷が端末管にかからないので、端末管の耐久性を向上させることができる。
図１２に示す端末管１Ａは、図１３に示すようにヘッダー５と保護管７との隙間に位置している流水管９を端末管１のみではシールすることが困難な場合に用いられる。端末管１Ａを用いる本数は１本又は複数本である。複数本使用する場合には端末管１Ａ同士を接続部４Ａ及び接続部４Ｂを介して接続させる。
【図面の簡単な説明】
【００１０】
【図１】本発明の第一実施の形態に係る端末管の一部切欠拡大正面図である。
【図２】図１のＩＩ−ＩＩ線拡大断面図である。
【図３】図１のＩＩＩ−ＩＩＩ線拡大端面図である。
【図４】図１のＩＶ−ＩＶ線拡大端面図である。
【図５】図１のＶ−Ｖ線拡大断面図である。
【図６】本発明の第一実施の形態に係る端末管の使用状態を示す一部切欠正面図である。
【図７】図６のＶＩＩ−ＶＩＩ線断面図である。
【図８】本発明の第一実施の形態に係る端末管と接続するコネクターの一部切欠拡大正面図である。
【図９】ストッパリングの拡大平面図である。
【図１０】本発明に係る端末管の配管過程を示し、収縮状態で取付け板部に取り付けている正面図である。
【図１１】本発明に係る端末管の配管過程を示し、図１０に示す状態から流水管を継手に取り付けている正面図である。
【図１２】本発明の第二実施の形態に係る端末管の正面図である。
【図１３】本発明の第二実施の形態に係る端末管の使用状態を示す正面図である。
【符号の説明】
【００１１】
１                              端末管（管体）
１Ａ                            端末管
１Ａ１                          収縮部分
２，２Ａ                        溝
２ａ，２Ａａ                    一辺
２ｂ，２Ａｂ                    他辺
３                              カバー部
４，４Ａ，４Ｂ                  接続部
４ｂ，４Ａｂ                    係合部
４ｂ１                          係合リブ
４ｂ２                          係合溝
５                              ヘッダー
６                              継手
７                              保護管（管体）
８                              コネクター（管体接続用のコネクター）
８ｄ                            ストッパリング
９                              流水管
【図１】
2005121159.tif 000003
【図２】
2005121159.tif 000004
【図３】
2005121159.tif 000005
【図４】
2005121159.tif 000006
【図５】
2005121159.tif 000007
【図６】
2005121159.tif 000008
【図７】
2005121159.tif 000009
【図８】
2005121159.tif 000010
【図９】
2005121159.tif 000011
【図１０】
2005121159.tif 000012
【図１１】
2005121159.tif 000013
【図１２】
2005121159.tif 000014
【図１３】
2005121159.tif 000015